(57)【要約】【課題】  遊技盤に釘で取り付けられた遊技部品の遊技盤からの取り外しやすさを図る。【解決手段】  右上・右下・左下盤面飾り３−５が釘１５；１６；１９で遊技盤７に取り付けられた状態において、ドライバーやバール（金てこ）のような工具を右上・右下・左下盤面飾り３−５の外側から作業用凹部２０−２２に挿入するとともに、遊技盤７を上方に浮き上がらないように押えた後、てこの原理を使うように工具を操作することで、釘１５；１６；１９と右上・右下・左下盤面飾り３−５とを一緒に遊技盤７から取り外すことができる。作業用凹部２０−２２の横幅を深さよりも大きくすれば、工具の回転操作で、釘１５；１６；１９と右上・右下・左下盤面飾り３−５とを遊技盤７から取り外すこともできる。【選択図】        図１
2005118353.tif 000002
【特許請求の範囲】
【請求項１】
遊技盤に釘で取り付けられる遊技部品において、遊技部品における釘挿入孔の周りの外側面には、遊技部品を遊技盤から取り外す工具の挿入可能な作業用凹部が、外側面から遊技部品の内側に窪む形態に形成されたことを特徴とする遊技部品。
【請求項２】
作業用凹部が遊技部品の遊技盤と接触する側の裏面にも開口することを特徴とする請求項１記載の遊技部品。
【請求項３】
作業用凹部が側面視横長な四角形であることを特徴とする請求項１記載の遊技部品。
【請求項４】
遊技部品が遊技盤の前面である意匠盤面に遊技領域を囲み形成するガイドレールよりも外側の非遊技領域に取り付けられるものであって、ガイドレールの側の面に作業用凹部が無いことを特徴とする請求項１記載の遊技部品。
【発明の詳細な説明】
【技術分野】
【０００１】
本発明は、パチンコ機の遊技盤に釘で取り付けられた遊技部品を、遊技盤から取り外しやすくする構造に関する。
【背景技術】
【０００２】
遊技盤の前面である意匠盤面には、ガイドレール、戻り球防止弁、風車、入賞部品、センター飾り、サイドランプ、遊技釘、盤面飾りなどの遊技部品が取り付けられる。これらの遊技部品には、木ねじで遊技盤に取り付けられるもの、フックのような専用固着具で取り付けられるもの、釘で遊技盤に取り付けられるものがある。木ねじは、直線棒状の胴体に雄ねじを有し、胴体の上端に胴体よりも外径の大きな頭部を同軸に備え、頭部の上面にマイナス字形またはプラス字形の工具挿入溝を備える。釘は、直線棒状の胴体の上端に胴体よりも外径の大きな頭部を同軸に備える。そして、木ねじで取り付けられた遊技部品が遊技盤から取り外される場合、ドライバーのような工具が木ねじの工具挿入溝に差し込まれたまま弛む方向に回転し、木ねじが遊技盤から取り外されることによって、当該遊技部品を遊技盤から取り外すことができる。専用固着具で取り付けられる遊技部品が遊技盤から取り外される場合、専用固着具のフックがドライバーのような工具で操作されて遊技盤との係合を解除され、専用固着具が遊技盤から取り外されることによって、当該遊技部品を遊技盤から取り外すことができる。しかしながら、釘で取り付けられる遊技部品を遊技盤から取り外す場合、釘の頭部が遊技部品に隙間なく接触し、当該遊技部品の周縁部も遊技盤に隙間なく接触しているので、マイナスドライバーのような工具の先端を釘の頭部と遊技部品との境または遊技部品の周縁部と遊技盤との境に差し込む作業が面倒であり、当該遊技部品を遊技盤から取り外しづらかった。
【特許文献１】特開２００１−３７９７６号公報
【特許文献２】特開２００２−１３６６７２号公報
【発明の開示】
【発明が解決しようとする課題】
【０００３】
発明が解決しようとする問題点は、遊技盤に釘で取り付けられた遊技部品を、遊技盤から取り外しづらい点である。
【課題を解決するための手段】
【０００４】
本発明の遊技部品は、遊技盤に釘で取り付けられる遊技部品であって、遊技部品における釘挿入孔の周りの外側面には、遊技部品を遊技盤から取り外す工具の挿入可能な作業用凹部が、外側面から遊技部品の内側に窪む形態に形成されたことを最も主要な特徴とする。また、本発明の遊技部品にあっては、作業用凹部が遊技部品の遊技盤と接触する側の裏面にも開口したり、作業用凹部が側面視横長な四角形であったり、遊技部品が遊技盤の前面である意匠盤面に遊技領域を囲み形成するガイドレールよりも外側の非遊技領域に取り付けられるものであって、ガイドレールの側の面に作業用凹部が無くてもよい。
【発明の効果】
【０００５】
本発明の遊技部品は、遊技部品が釘で遊技盤に取り付けられた状態において、ドライバーやバール（金てこ）のような工具を遊技部品の外側から作業用凹部に挿入し、当該工具を例えばてこの原理を使うような操作で釘と遊技部品とを遊技盤から取り外すことができるという利点がある。また、本発明の遊技部品において、作業用凹部が遊技部品の遊技盤と接触する側の裏面にも開口していれば、樹脂成形型を用いて遊技部品を成形する点からも有利である。また、本発明の遊技部品において、作業用凹部が側面視横長な四角形であれば、工具の回転操作で釘と遊技部品とを一緒に取り外すことができる。また、本発明の遊技部品において、遊技部品が遊技盤の前面である意匠盤面に遊技領域を囲み形成するガイドレールよりも外側の非遊技領域に取り付けられるものであって、ガイドレールの側の面に作業用凹部が無ければ、遊技部品をガイドレールの一部として使用した場合でも、ガイドレールに沿って遊技領域を流れる球が作業用凹部による悪影響を受けることはない。
【発明を実施するための最良の形態】
【０００６】
図１−図９は第１実施形態である。図１は、ガイドレール１、戻り球防止弁２、盤面飾りなどの遊技部品の取り付けられた遊技盤７の外観を前側から示す。図２は、盤面飾りたる遊技部品を遊技盤７から取り外した外観を前側から示す。図３は、右下盤面飾り４の前側構造を示す。図４は、右上盤面飾り３の裏側構造を示す。図５は、右下盤面飾り４の裏側構造を示す。図６は、左下盤面飾り５の裏側構造を示す。図７および図８は、不正防止バンド６を盤面飾り１０１に取り付ける形態の断面を示す。図９は盤面飾りを遊技盤７から取り外す形態の断面を示す。
【０００７】
図１を参照し、ガイドレール１、戻り球防止弁２、盤面飾り３；４；５、不正防止バンド６などの遊技部品が遊技盤７に取り付けられた形態について説明する。ガイドレール１は、ステンレスのような金属帯板状の外バンド８と、ステンレスのような金属帯板状の内バンド９との２つの部品で形成される。外バンド８がバンド釘１０と図外の割ピンのような固着具とで遊技盤７の意匠盤面に意匠盤面から前方に突出するように取り付けられ、内バンド９が図外の割ピンのような固着具で遊技盤７の意匠盤面に意匠盤面から前方に突出するように取り付けられることによって、ガイドレール１が遊技盤７の前面である意匠盤面に遊技領域１１を囲み形成する。外バンド８と内バンド９との間の隙間は、発射通路１２である。発射通路１２は、遊技機枠１３に設けられた図外の発射機構から発射された球を遊技領域１１に案内する通路である。発射機構から発射された球を発射通路１２から遊技領域１１に放出する発射通路１２の出口には、戻り球防止弁２が設けられる。
【０００８】
戻り球防止弁２の取付部１４は、ガイドレール１が遊技盤７に取り付けられた後に、内バンド９の端部に沿うように、遊技盤７に図外の釘で取り付けられる。戻り球防止弁２は、外バンド８や内バンド９よりも厚さの薄い例えば０．３ｍｍ程度の薄帯板状のステンレスのような金属製の板ばねである。戻り球防止弁２が遊技盤７に取り付けられた場合、戻り球防止弁２は、取付部１４の存在する基部から外バンド８の側に位置する先端部に行くに従って、発射通路１２の出口から遊技領域１１の側に徐々に傾斜する格好になる。戻り球防止弁２の先端は、外バンド８の遊技領域１１の側に位置する内側面に接触するかまたは接触する程度に近づいていればよい。この接触する程度は、戻り球防止弁２の先端と外バンド８の内側面との間に１個の球の直径よりも小さい隙間が存在し、遊技領域１１から外バンド８の内側面に沿って発射通路１２の側に逆行する球が上記戻り球防止弁２の先端と外バンド８の内側面との間に引っかかることなく通過することもできない範囲であればよい。
【０００９】
そして、発射機構から発射された球が発射通路１２から戻り球防止弁２を押し開けることによって、戻り球防止弁２の先端部が外バンド８から離れるように、戻り球防止弁２の取付部１４を基準として、戻り球防止弁２が全体的に遊技領域１１の側に弾性変形する。そして、戻り球防止弁２を押し開けた球が戻り球防止弁２から遊技領域１１の側に離れることによって、戻り球防止弁２の先端部が外バンド８に近づくように、戻り球防止弁２が全体的に図１に示す形態に復元する。このように戻り球防止弁２が復元した形態において、発射通路１２から遊技領域１１に発射された球が遊技領域１１から発射通路１２の側に逆行してきた場合、当該球が戻り球防止弁２に衝突し、戻り球防止弁２が当該球を遊技領域１１から発射通路１２に取り込まれることを防止して遊技領域１１に跳ね返す。
【００１０】
盤面飾り３；４；５は、遊技盤７の前面である意匠盤面のガイドレール１よりも外側の非遊技領域に意匠盤面より前方に突出するように取り付けられる。盤面飾り３が遊技盤７の右上部において非遊技領域に取り付けられるので、以下、盤面飾り３を右上盤面飾り３と称する。右上盤面飾り３は、釘１５と木ねじ１７とで遊技盤７に取り付けられる。右上盤面飾り３は、釘１５の周りの外側面に、作業用凹部２０を備える。盤面飾り４が遊技盤７の右下部において非遊技領域に取り付けられるので、以下、盤面飾り４を右下盤面飾り４と称する。右下盤面飾り４は、釘１６と木ねじ１８とで遊技盤７に取り付けられる。右下盤面飾り４は、釘１６の周りの外側面に、作業用凹部２１を備える。盤面飾り５が遊技盤７の左下部において非遊技領域に取り付けられるので、以下、盤面飾り５を左下盤面飾り５と称する。左下盤面飾り５は釘１９で遊技盤７に取り付けられる。左下盤面飾り５は、釘１９の周りの外側面に、作業用凹部２２を備える。作業用凹部２０；２１；２２は、遊技部品である右上・右下・左下盤面飾り３；４；５のそれぞれを遊技盤７から取り外すための工具の挿入可能な側面視四角形になっている。左下盤面飾り５の左側部と外バンド８のバンド釘１０で遊技盤７に結合された一端部との間の隙間は、発射機構から発射された球を取り込むための発射通路１２の入口である。
【００１１】
不正防止バンド６は、右下盤面飾り４と左下盤面飾り５とにわたって取り付けられる弾性の有る合成樹脂で形成されたものであって、遊技盤７を格納する遊技機枠１３の前面に開閉可能に設けられた図外の光透過性の有る無色のガラスまたは合成樹脂からなるパネルが閉じられることによって、不正防止バンド６がパネルの内側面（遊技盤７の側に位置する面）に接触し、遊技者がピアノ線や合成樹脂製薄帯板などの不正操作部材を遊技領域１１よりも下方の遊技機枠１３の前側から遊技機枠１３の前面構成部材間の隙間を経由して遊技領域１１に挿入しようとした場合、パネルの内側面に接触した不正防止バンド６が上記不正操作部材を受け止めることによって、不正防止バンド６が上記不正操作部材の遊技領域１１への侵入を防止する。
【００１２】
図２を参照し、右上盤面飾り３、右下盤面飾り４、左下盤面飾り５、遊技盤７それぞれの前側構造、不正防止バンド６の構造について説明する。遊技盤７は、ベニヤのような方形な合板からなる遊技基板の前面に化粧シートを結合した形態である。化粧シートは、光透過性の有る無色な薄板状の合成樹脂からなる表面層の裏面に、盤面図柄や機種名などの意匠盤面を形成するための印刷層を備え、印刷層の裏面にケント紙のような定着紙を接着剤で結合した形態である。そして、化粧シートの定着紙が遊技基板の前面に接着剤で結合されることによって、遊技盤７の前面が意匠盤面として形成される。
【００１３】
このように形成された遊技盤７には、ゲージプレス機やルータ加工機などの加工機を用いた加工で、下孔２３；２４；２５、図外の逃孔、切欠部２６；２７、アウト口２８、位置決め孔２９；３０；３１が形成される。下孔２３；２４；２５は、遊技盤７に遊技部品を取り付ける釘１５；１６；１９や木ねじ１７；１８および図外の釘や図外の木ねじが遊技盤７に食いつきやすくするための小さな窪みである。逃孔は、遊技盤７の意匠盤面に取り付けられる遊技部品の裏側に突出した部分を逃げるための遊技盤７の前後方向に貫通する孔である。切欠部２６；２７は、遊技機枠１３に設けられた部品を逃げるための切除部である。アウト口２８は、遊技領域１１を上方から下方に流下したアウト球たる球を遊技盤７の遊技領域１１から遊技盤７の裏側に排出する孔である。
【００１４】
位置決め孔２９；３０；３１は、遊技盤７に対し遊技部品の位置を決めるための孔であって、遊技盤７の前後方向に貫通する孔の場合、遊技盤７の前面に開口するものの遊技盤７の裏面に開口しない窪みの場合、遊技盤７の裏面に開口するものの遊技盤７の前面に開口しない窪みの場合などの形態がある。図２には、下孔２３；２４；２５、切欠部２６；２７、位置決め孔２９；３０；３１として、右上盤面飾り３、右下盤面飾り４、左下盤面飾り５のそれぞれを取り付けるためのものを図示し、それ以外の下孔、切欠部、位置決め孔の図示は省略してある。その後、遊技盤７の意匠盤面には、バンド取付機を用いた加工で、外バンド８および内バンド９が取り付けられる。
【００１５】
右上盤面飾り３は、前側から見て、全体的に、略三角形であって、三角形の底辺が遊技盤７に取り付けられた外バンド８および内バンド９に沿う外側から三角形の頂点側に窪む弧状縁３２になっている。右上盤面飾り３は、外バンド８および内バンド９に沿って遊技盤７に取り付けられる下側に位置する意匠部３３と、遊技機枠１３に設けられた遊技盤固定具の図１に示すロック部材３５と係合するように遊技盤７に取り付けられる上側に位置する結合部３６とが互いに上下方向に連接された形態である。
【００１６】
意匠部３３の前面部には、下隅部に、頭収納部３７を前面から内側に窪む格好で備える。頭収納部３７の底部には、前後方向に貫通する釘挿入孔３８を備える。釘挿入孔３８の周りの外側面には、作業用凹部２０が配置される。意匠部３３における遊技盤７の意匠盤面から前方への突出寸法（意匠部３３の意匠盤面からの厚さ）は、ガイドレール１における遊技盤７の意匠盤面から前方への突出寸法（ガイドレール１の意匠盤面からの高さ）よりも大きい。結合部３６は板状であって、結合部３６の前面が意匠部３３の前面より遊技盤７の側に近づくように落ち込んでおり、結合部３６の裏面が意匠部３３の裏面と平坦になっている。結合部３６は、中央の前後方向に貫通するロック挿入孔３９と周囲の前後方向に貫通する木ねじ挿入孔４０とを備える。
【００１７】
右下盤面飾り４は、前側から見て、全体的に、略三角形であって、三角形の底辺が遊技盤７に取り付けられた内バンド９に沿う外側から三角形の頂点側に窪む弧状縁４１になっている。右下盤面飾り４は、内バンド９に沿って遊技盤７に取り付けられる上下の意匠部４２と、図１のロック部材３５と係合するように遊技盤７に取り付けられる中央の結合部４３とが互いに連接される一方、結合部４３の前側に証紙台４４を備えた形態である。
【００１８】
意匠部４２の前面部には、左下隅部と右上隅部とに、頭収納部４５を前面から内側に窪む格好で備える。頭収納部４５の底部には、前後方向に貫通する釘挿入孔４６を備える。右下盤面飾り４の作業用凹部２１は、釘挿入孔４６の周りの外側面に配置される。意匠部４２は、弧状縁４１に沿う弧状のバンド取付部４７を、頭収納部４５よりも弧状縁４１の側に備える。バンド取付部４７における証紙台４４の側の端部は行き止まりとなるように閉鎖され、バンド取付部４７の左側の端部は開放された形態である。意匠部４２における遊技盤７の意匠盤面から前方への突出寸法（意匠部４２の意匠盤面からの厚さ）は、ガイドレール１における遊技盤７の意匠盤面から前方への突出寸法（ガイドレール１の意匠盤面からの高さ）よりも大きい。
【００１９】
左下盤面飾り５は、前側から見て、全体的に、略三角形であって、三角形の底辺が遊技盤７に取り付けられた内バンド９に沿う外側から三角形の頂点側に窪む弧状縁５０になっている。左下盤面飾り５は、内バンド９に沿って遊技盤７に取り付けられる意匠部５１を形成する。意匠部５１の前面部には、左上隅部と右下隅部とに、頭収納部５２を前面から内側に窪む格好で備える。頭収納部５２の底部には、前後方向に貫通する釘挿入孔５３を備える。左下盤面飾り５は、弧状縁５０に沿う弧状のバンド取付部５４を、頭収納部５２よりも弧状縁５０の側に備える。バンド取付部５４における左側の端部は行き止まりとなるように閉鎖され、バンド取付部５４の右側の端部は開放された形態である。
【００２０】
不正防止バンド６は、内バンド９に沿う弧状帯板状の前面部５５、前面部５５の裏面から裏側に突出する弧状帯板状の挿入部５６、前面部５５の裏面から裏側に突出する複数の取付足５７、前面部５５の外側縁から斜め前方下部に向けて突出する弧状帯板状のリップ部５８を備える。複数の取付足５７は、挿入部５６の厚さよりも大きな外径を有し、挿入部５６と同軸になっている。取付足５７における挿入部５６よりも裏側に突出した先端には、フック５９を備える。挿入部５６における右下盤面飾り４と左下盤面飾り５との間の空間に配置される中央部には、内バンド９のアウト口２８の周りの左右両側に接触する舌部６０を挿入部５６よりも裏側に突出した形態に備える。
【００２１】
図３を参照し、右下盤面飾り４の結合部４３と証紙台４４およびバンド取付部４７について説明する。結合部４３は板状であって、結合部４３の前面が意匠部４２の前面より遊技盤７の側に近づくように落ち込んでおり、結合部４３の裏面が意匠部４２の裏面と平坦になっている。結合部４３は、中央の前後方向に貫通するロック挿入孔４８と、周囲の前後方向に貫通する木ねじ挿入孔４９とを備える。
【００２２】
証紙台４４の上部一側には証紙台側ヒンジ６６が設けられる。証紙台側ヒンジ６６が結合部４３の上部に設けられた結合部側ヒンジ６７に回転可能に装着されることによって、証紙台４４が右下盤面飾り４に前後方向に開閉可能に設けられる。証紙台４４が図３に示すように、証紙台側ヒンジ６６と結合部側ヒンジ６７とを回転可能に装着した軸６８を回転中心として前方に開かれることによって、結合部４３のロック挿入孔４８と木ねじ挿入孔４９とが右下盤面飾り４の前側から見える格好となる。
【００２３】
そして、証紙台４４が図２に示すように、軸６８を回転中心として後方に閉じられ、証紙台４４の左側部が図３に示す意匠部４２より右側に延設された受部６９で受け止められることによって、結合部４３のロック挿入孔４８と木ねじ挿入孔４９とが証紙台４４で覆われて右下盤面飾り４の前側から見えなくなる。閉じられた証紙台４４の前面には、遊技盤７が図外の公共機関の検査に合格して販売の認可を受けたことを示すための証紙が、貼り付けられる。受部６９の前面は意匠部４２の前面より証紙台４４の厚さだけ後側に後退している。
【００２４】
バンド取付部４７は、意匠部４２の前面部６１の前面から裏側に窪む溝６２、溝６２の内側面と外側面とに形成された複数の取付足収納部６３、取付足収納部６３の底部に形成された前後方向への貫通孔６４、溝６２における頭収納部４５の側の内側面に形成された斜面６５を備える。このバンド取付部４７が溝６２と取付足収納部６３と貫通孔６４および斜面６５を備えた形態は、図２に示す左下盤面飾り５のバンド取付部５４も詳細な図示は省略したが同様な形態である。これらバンド取付部４７やバンド取付部５４の詳細な形態は、図７のａ図、図８のａ図参照。
【００２５】
図４を参照し、右上盤面飾り３の裏側構造について説明する。右上盤面飾り３は、結合部３６における木ねじ挿入孔４０の周りに、複数の位置決め突起７０を備える。位置決め突起７０は、結合部３６の裏面より裏側に直線的に突出した柱の中心部に当該柱の裏面から結合部３６の裏面まで形成された溝状の割り７１を備える。右上盤面飾り３が図２の遊技盤７に取り付けられる場合、割り７１の両側に位置する柱が遊技盤７に形成された位置決め孔２９の孔壁から中心に向かう半径方向の押圧力を受けて互いに近づくように弾性変形し、割り７１の幅が狭くなり、位置決め突起７０が位置決め孔２９に個別に押し込まれる。位置決め突起７０が位置決め孔２９に押し込まれることによって、割り７１の両側に位置する柱が自身の復元しようとする弾性力で、位置決め突起７０が位置決め孔２９の孔壁に中心から外側に向かう半径方向の力で突っ張る。これによって、右上盤面飾り３が遊技盤７に対し位置決めされる。
【００２６】
意匠部３３では、側壁７３が板状の前面部７２の直線的な側縁から裏側に突出し、釘挿入孔３８を囲む筒体７４が前面部７２の裏面から裏側に突出し、筒体７４の周りの側壁７３に作業用凹部２０を備える。作業用凹部２０は、側壁７３の内側面と外側面と側壁７３の裏面である意匠部３３の図２に示す遊技盤７と接触する側の裏面とに開口する、溝になっている。前面部７２の裏面には、側壁７３に連接した補強壁７５が筒体７４と結合部３６との間に位置して設けられる。右上盤面飾り３が図１の遊技盤７に取り付けられる場合、右上盤面飾り３の弧状縁３２の側における補強壁７５の端部は、内バンド９の外側面に接触する。
【００２７】
弧状縁３２の部分において、意匠部３３における前面部７２の結合部３６よりも前側に突出する裏面には、ゴムのような弾性体で形成された球反発体７６が取り付けられる。球反発体７６は、右上盤面飾り３から図１の遊技領域１１に向けて露出した球受面７７を備える。そして、図１の発射通路１２から外バンド８に沿って遊技領域１１の上部右側に飛んできた球が球反発体７６の球受面７７に衝突した場合、球反発体７６が当該球受面７７に衝突した球を球反発体７６の弾性で遊技領域１１の中央に向けて跳ね返す。球反発体７６の上部と意匠部３３の側壁７３との間には、外バンド挿入空間部７９が、右上盤面飾り３の裏面と遊技領域１１との側に開放された形態に形成される。右上盤面飾り３が図１の遊技盤７に取り付けられる場合、外バンド挿入空間部７９は、外バンド８の他端部（外バンド８のバンド釘１０で遊技盤７に結合された一端部の反対側に位置する端部）を取り込む。
【００２８】
球反発体７６と意匠部３３の側壁７３との間には、例えば厚さが０．３ｍｍ程度のステンレスのような薄帯板状の金属からなるバンドばね８０が設けられる。バンドばね８０は球反発体７６から外バンド挿入空間部７９に延設された外バンドばね部８１と、球反発体７６から外バンド挿入空間部７９の反対側に延設された内バンドばね部８２とを備える。外バンドばね部８１は、意匠部３３の側壁７３に接触するバンドばね８０の基部から意匠部３３の前面部７２の方向に行くに従って意匠部３３の側壁７３から徐々に離れるように傾斜する。そして、右上盤面飾り３が図１の遊技盤７に取り付けられる場合、外バンドばね部８１の意匠部３３の側壁７３から離れる下縁部が、外バンド挿入空間部７９に取り込まれた外バンド８の他端部の外側面を外側から内側に弾性的に押すように接触して撓むことによって、遊技盤７に対する外バンド８の他端部の位置を固定する。
【００２９】
内バンドばね部８２は、意匠部３３の側壁７３に接触するバンドばね８０の基部から意匠部３３の前面部７２の方向に行くに従って意匠部３３の側壁７３から徐々に離れるように傾斜する。そして、右上盤面飾り３が図１の遊技盤７に取り付けられる場合、内バンドばね部８２の意匠部３３から離れる下縁部が、意匠部３３の前面部７２における弧状縁３２の裏面に取り込まれた内バンド９の他端部の外側面を外側から内側に弾性的に押すように接触して撓むことによって、遊技盤７に対する内バンド９の他端部の位置を固定する。
【００３０】
図５を参照し、右下盤面飾り４の裏側構造について説明する。右下盤面飾り４は、結合部４３の木ねじ挿入孔４９の周りに複数の位置決め突起８７を備える。位置決め突起８７は、結合部４３の裏面より裏側に直線的に突出した円柱の中心部に当該円柱の裏面から結合部４３の裏面まで形成された溝状の割り８８を備える。右下盤面飾り４が図２の遊技盤７に取り付けられる場合、割り８８の両側に位置する柱が遊技盤７に形成された位置決め孔３０の孔壁から中心に向かう半径方向の押圧力を受けて互いに近づくように弾性変形し、割り８８の幅が狭くなり、位置決め突起８７が位置決め孔３０に個別に押し込まれる。位置決め突起８７が位置決め孔３０に押し込まれることによって、割り８８の両側に位置する柱が自身の復元しようとする弾性力で、位置決め突起８７が位置決め孔３０の孔壁に中心から外側に向かう半径方向の力で突っ張る。これによって、右下盤面飾り４が遊技盤７に対し位置決めされる。意匠部４２では、側壁８９が板状の前面部６１の直線的な側縁から裏側に突出し、釘挿入孔４６を囲む筒体９０が前面部６１の裏面から裏側に突出し、筒体９０の周りの側壁８９に作業用凹部２１を備える。作業用凹部２１は、側壁８９の内側面と外側面と側壁８９の裏面である意匠部４２の図２に示す遊技盤７と接触する側の裏面とに開口する、溝になっている。
【００３１】
図６を参照し、左下盤面飾り５の裏側構造について説明する。意匠部５１では、側壁９２が板状の前面部９１の直線的な側縁および弧状縁５０から裏側に突出する。前面部９１の裏面には、複数の位置決め突起９３を備える。位置決め突起９３は、前面部９１の裏面から裏側に直線的に突出した筒状である。位置決め突起９３を形成する筒状は、前面部９１で閉鎖され、裏側に開放された形態になっている。位置決め突起９３の開放側の外周面は、前面部９１の側から開放側に行くに従って外径が徐々に小さくなる斜面になっている。左下盤面飾り５が図２の遊技盤７に取り付けられる場合、位置決め突起９３が遊技盤７に形成された位置決め孔３１の孔壁から中心に向かう半径方向の押圧力を受けて筒状の径が小さくなるように弾性変形しつつ位置決め孔３１に個別に押し込まれる。位置決め突起９３が位置決め孔３１に押し込まれることによって、位置決め突起９３の筒状が大きくなる方向に自身の復元しようとする弾性力で、位置決め突起９３が位置決め孔３１の孔壁に中心から外側に向かう半径方向の力で突っ張る。これによって、左下盤面飾り５が遊技盤７に対し位置決めされる。左下盤面飾り５における前面部９１の裏面には、釘挿入孔５３を囲む筒体９４を突出する。筒体９４の周りにおける側壁９２には、作業用凹部２２を備える。作業用凹部２２は、側壁９２の内側面と外側面と側壁９２の裏面である意匠部５１の図２に示す遊技盤７と接触する側の裏面とに開口する、溝になっている。
【００３２】
図１−図９を参照し、ガイドレール１の取り付けられた遊技盤７に、右上盤面飾り３、右下盤面飾り４、左下盤面飾り５、不正防止バンド６を取り付ける場合について説明する。図２では、戻り球防止弁２が遊技盤７に取り付けられた形態を図示しているが、右上盤面飾り３、右下盤面飾り４、左下盤面飾り５、不正防止バンド６の１つまたは２つ以上が遊技盤７に取り付けられた後に、戻り球防止弁２が遊技盤７に取り付けられることもある。
【００３３】
右上盤面飾り３を遊技盤７に取り付ける場合、図２に示す右上盤面飾り３の弧状縁３２が内バンド９の外側面に接触する程度に近づけられて内バンド９に沿わされ、図４に示す右上盤面飾り３の位置決め突起７０が図２に示す遊技盤７の右上部の位置決め孔２９に遊技盤７の前側から挿入され、図４に示す右上盤面飾り３の外バンド挿入空間部７９には外バンド８の他端部が取り込まれる。それに伴い、図４に示す結合部３６の裏面、側壁７３の裏面、筒体７４の裏面、補強壁７５の裏面からなる右上盤面飾り３の裏面が、遊技盤７の右上部において非遊技領域の意匠盤面に接触して重ね合わされる。その後、図２に示す木ねじ１７の胴体が右上盤面飾り３の木ねじ挿入孔４０から遊技盤７に図外のドライバーのような工具で締結されると、木ねじ１７の頭部が木ねじ挿入孔４０の周りの結合部３６の前面に接触し、結合部３６が遊技盤７の切欠部２６を前側から被覆して遊技盤７に固定され、ロック挿入孔３９が遊技盤７の切欠部２６に配置される。また、図２に示す釘１５の胴体が右上盤面飾り３の釘挿入孔３８から遊技盤７に図外のハンマーのような工具で打ち込まれると、釘１５の頭部が意匠部３３の頭収納部３７に取り込まれて釘挿入孔３８の周りにおける頭収納部３７の底部に接触し、意匠部３３が遊技盤７に固定される。
【００３４】
右下盤面飾り４を遊技盤７に取り付ける場合、図２に示す右下盤面飾り４の弧状縁４１が内バンド９の外側面に接触する程度に近づけられて内バンド９に沿わされ、図５に示す右下盤面飾り４の位置決め突起８７が図２に示す遊技盤７の右下部における位置決め孔３０に遊技盤７の前側から挿入される。それに伴い、図５に示す結合部４３の裏面、弧状縁４１の裏面、側壁８９の裏面、筒体９０の裏面からなる右下盤面飾り４の裏面が、遊技盤７の右下部において非遊技領域の意匠盤面に接触して重ね合わされる。その後、図３に示すように、証紙台４４が前側に開かれたまま、図２に示す木ねじ１８の胴体が右下盤面飾り４の木ねじ挿入孔４９から遊技盤７に図外のドライバーのような工具で締結されると、木ねじ１８の頭部が木ねじ挿入孔４９の周りにおける結合部４３の前面に接触し、結合部４３が遊技盤７の切欠部２７を前側から被覆して遊技盤７に固定され、ロック挿入孔４８が遊技盤７の切欠部２７に配置される。また、図２に示す釘１６の胴体が右下盤面飾り４の釘挿入孔４６から遊技盤７に図外のハンマーのような工具で打ち込まれると、釘１６の頭部が頭収納部４５に取り込まれて釘挿入孔４６の周りにおける頭収納部４５の底部に接触し、意匠部４２が遊技盤７に固定される。
【００３５】
左下盤面飾り５を遊技盤７に取り付ける場合、図２に示す左下盤面飾り５の弧状縁５０が内バンド９の外側面に接触する程度に近づけられて内バンド９に沿わされ、図６に示す左下盤面飾り５の位置決め突起９３が図２に示す遊技盤７の左下部における位置決め孔３１に遊技盤７の前側から挿入される。それに伴い、図６に示す弧状縁５０の裏面、側壁９２の裏面、筒体９４の裏面からなる左下盤面飾り５の裏面が、遊技盤７の左下部における非遊技領域の意匠盤面に接触して重ね合わされる。その後、図２に示す釘１９の胴体が左下盤面飾り５の釘挿入孔５３から遊技盤７に図外のハンマーのような工具で個別に打ち込まれると、釘１９の頭部が頭収納部５２に取り込まれて釘挿入孔５３の周りにおける頭収納部５２の底部に接触し、意匠部５１が遊技盤７に固定される。以上によって、右上盤面飾り３、右下盤面飾り４、左下盤面飾り５が遊技盤７に取り付けられる。
【００３６】
その後、図２に示す不正防止バンド６の挿入部５６および取付足５７が、右下盤面飾り４の前側や左下盤面飾り５の前側から、右下盤面飾り４のバンド取付部４７と左下盤面飾り５のバンド取付部５４に挿入される。それに伴い、図７のｂ図に示すように、挿入部５６が右下盤面飾り４および左下盤面飾り５に相当する盤面飾り１０１の溝１０２に接触しつつ嵌め込まれ、リップ部５８における挿入部５６の側に位置する基部が盤面飾り１０１の斜面１０３に接触し、リップ部５８の先端部が盤面飾り１０１から前側下方に向いて突出する。また、図８のｂ図に示すように、取付足５７が盤面飾り１０１の取付足収納部１０４に接触しつつ嵌め込まれ、フック５９が盤面飾り１０１の貫通孔１０５から取付足収納部１０４の裏側に突出して貫通孔１０５の周りにおける取付足収納部１０４の裏面に係合し、不正防止バンド６が盤面飾り１０１に取り付けられる。以上によって、右上盤面飾り３、右下盤面飾り４、左下盤面飾り５、不正防止バンド６が遊技盤７に取り付けられた図１に示す形態となる。この図１に示す形態において、図２に示す舌部６０は内バンド９の外側面に接触する。
【００３７】
次に、遊技盤７に取り付けられた右上盤面飾り３、右下盤面飾り４、左下盤面飾り５、不正防止バンド６を、遊技盤７から取り外す場合について説明する。図１において、不正防止バンド６が右下盤面飾り４および左下盤面飾り５から前側に引き抜かれるように取り外される。右上盤面飾り３および右下盤面飾り４が遊技盤７から取り外される場合、木ねじ１７；１８を取り外した後に、釘１５；１６が取り外される。つまり、図外のドライバーのような工具が木ねじ１７；１８の工具挿入溝に差し込まれた後、工具が木ねじ１７；１８の弛む方向に回転されるのに伴い、木ねじ１７；１８が遊技盤７から木ねじ挿入孔４０；４９を経由して取り外される。このように、木ねじ１７；１８が取り外された状態において、右上盤面飾り３、右下盤面飾り４および左下盤面飾り５の釘１５；１６；１９が取り外される。
【００３８】
図９を参照し、図１の釘１５；１６；１９に相当する釘１０６を取り外す場合について説明する。図９は、盤面飾り１０１が遊技盤７に釘１０６だけで固定され、釘１０６の頭部が盤面飾り１０１の頭収納部１０７に取り込まれており、盤面飾り１０１の作業用凹部１０８が釘挿入孔１０９の筒体１１０の周りに配置された形態を示す。そして、図９のａ図に示すように、遊技盤７の裏面が作業台１１１の上面に接触するように、遊技盤７を作業台１１１の上に載せる。また、作業台１１１の上面には、台座１１２が遊技盤７から離されて置かれる。台座１１２の厚さは、遊技盤７よりも厚いが、盤面飾り１０１の作業台１１１からの高さよりも低い寸法である。
【００３９】
その状態において、図９のｂ図に示すように、ドライバーのような工具１１３の先端部が、台座１１２の外側から上部を越えた斜めの状態で作業用凹部１０８に挿入される。上記斜めの状態は、工具１１３の把持部１１４から先端部の側に行くに従って、遊技盤７の意匠盤面に近づく下り傾斜となった形態である。次に、作業者または作業機械が、遊技盤７を作業台１１１に上から押し付けるように押える一方、把持部１１４を矢印Ｘ１で示す方向に押し下げると、工具１１３の先端部が台座１１２を支点としたてこの原理で盤面飾り１０１を上方に持ち上げる。この工具１１３による盤面飾り１０１の持ち上がりに伴い、釘１０６が持ち上げられ、釘１０６の胴体が遊技盤７から上方に引き抜かれるように取り外される。右上盤面飾り３の取り外しは、不正防止バンド６が取り外された後、または、不正防止バンド６が取り外される前のいずれでもよい。
【００４０】
第１実施形態の構造によれば、右上・右下・左下盤面飾り３−５が釘１５；１６；１９で遊技盤７に取り付けられ、この右上・右下・左下盤面飾り３−５が釘挿入孔３８；４６；５３の周りの外側面に作業用凹部２０−２２を当該外側面から右上・右下・左下盤面飾り３−５の内部に窪む形態に備えているので、図９のｂ図に示すように、工具１１３を右上・右下・左下盤面飾り３−５に相当する盤面飾り１０１の外側から作業用凹部２０−２２に相当する作業用凹部１０８に挿入するとともに、遊技盤７を上方に浮き上がらないように押えた後、当該工具１１３で盤面飾り１０１を引き上げることによって、釘１５；１６；１９に相当する釘１０６を盤面飾り１０１と一緒に遊技盤７から取り外すことができる。
【００４１】
換言するならば、右上・右下・左下盤面飾り３−５が釘挿入孔３８；４６；５３の周りの外側面に作業用凹部２０−２２を当該外側面から右上・右下・左下盤面飾り３−５の内部に窪む形態に備えているので、釘１５；１６；１９で遊技盤７に取り付けられた右上・右下・左下盤面飾り３−５と遊技盤７との境、または、釘１５；１６；１９の頭部と右上・右下・左下盤面飾り３−５との境に図９のｂ図に示す工具１１３の先端を無理に差し込む必要がなく、当該工具１１３を作業用凹部２０−２２に容易に差し込むことができ、その作業用凹部２０−２２に差し込まれた工具１１３で右上・右下・左下盤面飾り３−５を遊技盤７から容易に取り外すことができる。
【００４２】
図９のｂ図に示すように、工具１１３の先端を作業用凹部１０８に差し込む場合、工具１１３の先端が遊技盤７の意匠盤面を傷付けないように、遊技盤７の意匠盤面に接触しないように注意すれば、工具１１３による遊技盤７の意匠盤面の保護も図れる。しかも、作業用凹部２０−２２が釘挿入孔３８；４６；５３の周りに配置されているので、例えば図９のｂ図に示すような工具１１３のてこの原理による引き抜き動作においても、当該工具１１３の矢印Ｘ１で示す方向への移動量が少なくて済む。
【００４３】
また、作業用凹部２０−２２が右上・右下・左下盤面飾り３−５の裏面にも開口しているので、作業用凹部２０−２２を右上・右下・左下盤面飾り３−５の裏面に閉鎖した場合に比べ、右上・右下・左下盤面飾り３−５の樹脂成形型を用いた成形の点からも有利である。第１実施形態のように、右上・右下・左下盤面飾り３−５がガイドレール１の側に位置する面つまり弧状縁３２；４１；５０に作業用凹部２０−２２を有していなければ、換言すると、作業用凹部２０−２２が弧状縁３２；４１；５０に無ければ、弧状縁３２；４１；５０をガイドレール１の一部として使用した場合でも、ガイドレール１に沿って遊技領域１１を流れる球が作業用凹部２０−２２による悪影響を受けることはない。
【００４４】
図１０は第２実施形態に係る作業用凹部１０８の周りの側面を示す。図１０のａ図において、盤面飾り１０１における作業用凹部１０８は、横幅Ｈ２が盤面飾り１０１の裏面からの深さＨ１よりも大きな、横長な長方形であって、盤面飾り１０１の裏面と側壁の外側面と側壁の内側面とに開口する形態である。そして、盤面飾り１０１の裏面が遊技盤７の意匠盤面に接触した格好で、盤面飾り１０１が遊技盤７の非遊技領域に図９の釘１０６に相当する図外の釘で取り付けられた場合、作業用凹部１０８の裏側の開口は、遊技盤７で塞がれた形態である。
【００４５】
図１０のｂ図に示すように、マイナスドライバーのような工具１１３が作業用凹部１０８に外側から内側へと挿入される。工具１１３の横幅Ｈ３は、作業用凹部１０８の横幅Ｈ２よりも小さく作業用凹部１０８の深さＨ１よりも大きい。このように工具１１３が作業用凹部１０８に挿入された後、工具１１３が矢印Ｘ２で示す方向に回転操作される。この回転に伴い、図１０のｃ図に示すように、工具１１３が遊技盤７の意匠盤面と作業用凹部１０８の上内面とに接触する。引き続く工具１１３の回転の進行に伴い、図１０のｄ図に示すように、盤面飾り１０１が遊技盤７から矢印Ｘ３で示す方向にこじ上げられて遊技盤７から離れる。このように、作業用凹部１０８が側面視横長な四角形に形成されれば、工具１１３の回転操作で図９に示す釘１０６と盤面飾り１０１とを一緒に取り外すことができる。
【００４６】
図１１は第３実施形態に係る作業用凹部１０８の周りの断面を示す。図１１に示すように、作業用凹部１０８が盤面飾り１０１における前述の側壁７３；８９；９２に相当する側壁１１５より延設された内側の隔壁１１６で閉鎖された形態である。このように、作業用凹部１０８の内側が閉鎖されれば、盤面飾り１０１の裏面が遊技盤７の意匠盤面に接触することによって、盤面飾り１０１の内部が密封空間となり、盤面飾り１０１の外部から作業用凹部１０８を経由して密封空間への埃の侵入が防止できる。
【００４７】
図１２は第４実施形態に係る作業用凹部１０８の周りの外観を示す。図１２に示すように、盤面飾り１０１における側壁１１５の遊技盤７に接触する側の端部が薄肉に形成され、当該薄肉部１１７の外側に作業用凹部１０８を形成した形態である。第４実施形態の場合、作業用凹部１０８は、盤面飾り１０１の外側面の長手方向に連続していてもよい。但し、連続する作業用凹部１０８は、前述の弧状縁３２；４１；５０には設けられていない。この場合においても、第１実施形態と同様に、右上・右下・左下盤面飾り３−５の樹脂成形型を用いた成形の有利は発揮できる。
【産業上の利用可能性】
【００４８】
各実施形態では、作業用凹部２０−２２；１０８が右上・右下・左下盤面飾り３−５の裏面にも開口したが、作業用凹部２０−２２；１０８は右上・右下・左下盤面飾り３−５の裏面に閉鎖している形態であってもよい。工具１１３はバール（金てこ）であってもよい。
【図面の簡単な説明】
【００４９】
【図１】遊技盤を示す前側斜視図。（第１実施形態）
【図２】遊技盤と遊技部品とを示す分解斜視図。（第１実施形態）
【図３】右下盤面飾りを示す前側斜視図。（第１実施形態）
【図４】右上盤面飾りを示す裏側斜視図。（第１実施形態）
【図５】右下盤面飾りを示す裏側斜視図。（第１実施形態）
【図６】左下盤面飾りを示す裏側斜視図。（第１実施形態）
【図７】挿入部の取付形態を示す断面図。（第１実施形態）
【図８】取付足の取付形態を示す断面図。（第１実施形態）
【図９】盤面飾りの取外形態を示す断面図。（第１実施形態）
【図１０】作業用凹部の周りを示す側面図。（第２実施形態）
【図１１】作業用凹部の周りを示す断面図。（第３実施形態）
【図１２】作業用凹部の周りを示す斜視図。（第４実施形態）
【符号の説明】
【００５０】
１  ガイドレール
３  右上盤面飾り
４  右下盤面飾り
５  左下盤面飾り
７  遊技盤
２０  作業用凹部
２１  作業用凹部
２２  作業用凹部
１０８  作業用凹部
【図１】
2005118353.tif 000003
【図２】
2005118353.tif 000004
【図３】
2005118353.tif 000005
【図４】
2005118353.tif 000006
【図５】
2005118353.tif 000007
【図６】
2005118353.tif 000008
【図７】
2005118353.tif 000009
【図８】
2005118353.tif 000010
【図９】
2005118353.tif 000011
【図１０】
2005118353.tif 000012
【図１１】
2005118353.tif 000013
【図１２】
2005118353.tif 000014